(57)【要約】  本発明は、建造物等の空間（４）内における火災（３）の際、切除により壁（１）等に消火活動のための穴を形成する装備（２）である。この装備（２）は、加圧された消火液（５）を供給する車載圧力源（９）と、作業者（１６）の手で持ち運ばれるとともに消火ノズル（１１）を有するランス（１０）と、圧力源と消火ノズルとの間に設けられ、消火液を供給するための管部材（１２）とを備えている。消火液はジェット流（６）として消火ノズルから壁等へ向けて流出し、壁を切除して穴を形成するとともに、貫通の際、火災空間へ注入されることにより火災を消火する。装備は、作業者の背中で持ち運ばれるとともに添加剤（８）を収容する容器（１３）を更に備え、容器は、切除および／または消火の効果を改善するため、消火剤に対する添加剤の供給を調整できるように消火ノズルに接続されている。
2009507603.tif 000002
【特許請求の範囲】
【請求項１】
様々なタイプの建造物、槽、様々な目的用のタンクおよびコンテナ、ならびに車両、列車、船舶等の異なるタイプの構造物の空間（４）内における火災（３）の際、切除により屋根、壁、ドア等（１）に消火活動のための穴を形成する救助活動用装備において、
前記装備（２）は、
加圧された消火液（５）を供給する圧力源（９）と、
消火ノズル（１１）を有する携帯用ランス（１０）と、
前記圧力源と前記消火ノズルとの間に設けられ、前記消火液を供給するための管部材（１２）であって、前記消火液はジェット流（６）の形状を実質的に有し、前記ジェット流は前記消火ノズルから前記屋根、壁、ドア等へ向けて流出し、前記屋根、壁、ドア等を貫通して穴を形成するとともに、貫通の際、火災空間へ注入されることにより火災の消火を援助する、管部材（１２）と、
添加剤（８）を収容するとともに、前記切除および／または消火の効果を改善するため、前記消火剤に対する前記添加剤の供給を調整できるように前記消火ノズルに接続された、容器（１３）とを備え、
前記容器（１３）は、持ち運び可能であることを特徴とする装備。
【請求項２】
前記ランス（１０）および前記容器（１３）は、作業者（１６）によって持ち運ばれる、請求項１記載の装備。
【請求項３】
前記作業者（１６）は、前記ランス（１０）を手で持ち運ぶとともに前記容器（１３）を背中で持ち運ぶ、請求項２記載の装備。
【請求項４】
前記容器（１３）は前記ランス（１０）に設けられるとともに、前記作業者（１６）が前記ランス（１０）および前記容器（１３）を手で持ち運ぶ、請求項２記載の装備。
【請求項５】
前記容器（１３）内の前記添加剤（８）は、前記切除の効果を改善するための研磨剤からなる、請求項１乃至４のいずれか一項記載の装備。
【請求項６】
前記容器（１３）内の前記添加剤（８）は、前記消火の効果を改善するための消火泡または消火粉末からなる、請求項１乃至４のいずれか一項記載の装備。
【発明の詳細な説明】
【技術分野】
【０００１】
本発明は、様々なタイプの建造物、槽、様々な目的用のタンクおよびコンテナ、ならびに車両、列車、船舶等の異なるタイプの構造物の空間内における火災の際、切除により屋根、壁、ドア等に消火活動のための穴を形成する救助活動用装備において、前記装備は、加圧された消火液を供給する圧力源と、消火ノズルを有する携帯用ランスと、前記圧力源と前記消火ノズルとの間に設けられ、前記消火液を供給するための管部材であって、前記消火液はジェット流の形状を実質的に有し、前記ジェット流は前記消火ノズルから前記屋根、壁、ドア等へ向けて流出し、前記屋根、壁、ドア等を貫通して穴を形成するとともに、貫通の際、火災空間へ注入されることにより火災の消火を援助する、管部材と、添加剤を収容するとともに、前記切除および／または消火の効果を改善するため、前記消火剤に対する前記添加剤の供給を調整できるように前記消火ノズルに接続された、容器とを備えた装備に関する。
【背景技術】
【０００２】
消火活動において、今日依然として、斧またはバール、アングルグラインダーおよび／または切断機等のような手工具によって穴が形成される。比較的新しい装備は、爆破により穴を開けるための爆破フレームを含んでいる。しかしながら、このような爆破フレームは一度しか使えないとともに比較的高価である。そこに含まれる火薬は、保管および取扱いに関して厳しい安全性の要求が課される。
【０００３】
近年、上記および請求項１のプリアンブル部に規定したようなタイプの完全に新しい装備が開発されつつある。このような装備は、通常、カッティング消火器（cutting extinguisher）とよばれ、その基本的な構成および機能に関しては、ＳＥ−Ｃ２−５０９８９５に示されかつ記載されている。
【０００４】
この新しい装備およびその独特な高圧システムにより、火災を非常に効率的に消火する。この消火ノズルは、消火液を微小液滴として分散させ、かつ非常に細かいミストが形成され、これは火災ガスを迅速に冷却する。研磨剤が加えられた消火液によって生成されるジェットは、あらゆるタイプの建材−屋根、壁、ドア等−を貫通して火災空間へ達する。これは、火災の中心に素早く到達すること、および開口部を形成しないことにより新たな酸素を供給することなく火に対処できることを意味する。
【０００５】
この装備に含まれる主な構成要素のうち、圧力源および通常は研磨剤からなる添加剤用の容器は、チューブを巻き取りならびに巻き出すためのロール、および不使用時にランスを格納するための取付具とともに、通常、消防車上または消防車内に固定して設置されている。
【０００６】
作業時に、ランスが設けられたチューブは、巻き出されるとともに、通常消防士であるランス作業者が穴の形成と消火とを行なう場所である火災現場へと引き延ばされる。この作業をランス作業者が行えるようにするため、消防車の近くにいる少なくとも一人の作業者が、圧力源を作動／接続し、かつ添加剤の供給量をランス作業者の希望および要求に沿って調整する必要がある。
【０００７】
様々な状況下で、ランス作業者は、添加剤の供給量の望ましい調整が十分早くかつ正確に行われず、遅延や誤解のおそれを伴いながら、消防車の近くの作業者と連絡を取らなければならないことに対して、不便であることを体験するであろう。
【発明の開示】
【発明が解決しようとする課題】
【０００８】
本発明の主な目的は、上述した不便を取り除き、ランス作業者自身によって、迅速、効率的、かつ正確に、簡単かつ便利な態様で、望み通りかつ必要に応じて、添加剤の供給量を調整できるようにすることである。
【課題を解決するための手段】
【０００９】
この目的は、容器は、持ち運び可能であるということにより、非常に単純に独創的な態様によって達成される。
【００１０】
とりわけ好ましい実施の形態において、ランスおよび容器は、作業者によって持ち運ばれ、この場合好ましくは作業者は、ランスを手で持ち運ぶとともに容器を背中で持ち運ぶ。また他の好ましい実施の形態において、容器は実際のランスに固定的または取外し可能に設けられても良く、この場合、作業者は、ランスおよび容器を手で適切に持ち運ぶ。
【００１１】
一般にかつ好ましくは、容器内の添加剤は、実際に穴を形成する際の切除の効果を改善するための研磨剤からなる。これに代えてあるいは称賛されることは、容器内の添加剤は、消火の効果を改善するための消火泡または消火粉末からなっていても良いことである。無論、異なるこのような添加剤を同時にまたは連続して用いることも可能であろう。
【発明を実施するための最良の形態】
【００１２】
本発明を添付の図面を参照してより詳細に説明する。添付の図面は、本最良の実施の形態を概略的かつ斜視的に示す図である。
【００１３】
様々なタイプの建造物、槽、様々な目的用のタンクおよびコンテナ、ならびに車両、列車、船舶等の異なるタイプの構造物の空間４内における火災３の際、一般に符号２によって示す本発明による装備を用いて、屋根、壁１、ドア等を切除することにより消火活動用の穴を形成する。この切除により形成される穴は、切除中にジェット流６の形状で火災空間４へ注入される、加圧された消火液５により形成される。ジェット流６は素早く蒸発するとともに、火災３の消火を補助し、これにより、生じた火災ガス７を切除した穴を通じて効果的に逃がすことができる。
【００１４】
消火液５は、普通、通常の水に切除および／または消火の効果を改善するための１以上の液体および／または粉体状の添加剤８を加えたものである。このような添加剤８は、研磨剤、例えば砂または他の研磨材料を有するサンドブラスティング剤からなり、研磨剤は壁１等の切除速度を増大する。他の添加剤としては、消火泡または消火粉末等であってもよく、これは同時に形成される細かいミストとともに消火液５を火災空間４に注入する間、火災ガス７を迅速に冷却し、そしてこのようにして効果的な消火活動を更に促進する。
【００１５】
図示された本発明による装備２は、主たる構成要素として、加圧された消火液５を供給するための圧力源９と、消火液を放出する消火ノズル１１を有するランス１０と、圧力源９と消火ノズル１１との間に設けられ、消火液５を供給するための管部材１２と、消火液５へ加える研磨剤等からなる添加剤８を収容する容器１３とを有している。
【００１６】
示された好ましい実施の形態において、圧力源９は消防車１４内に固定して設置された適切な高圧ポンプからなる。高圧ポンプの出口には管部材１２が接続され、管部材１２は、リール１５から巻き出され、かつリール１５に巻き付けられるように構成されることが好ましい。このリール１５もまた、消防車１４内に適切に設置されている。その他端において、管部材１２は、添加剤８を収容する容器１３を介してランス１０およびその消火ノズル１１に接続されている。
【００１７】
ランス１０および連結された消火ノズル１１は、作業者、通常は消防士により支持されるとともに操作され、穴の形成および消火を実行する。
【００１８】
作業者１６は自分自身によって、迅速、効率的、かつ正確に、簡単かつ便利な態様で、望み通りかつ必要に応じて、消火液５への添加剤８の供給量を調整できる。容器１３は、持ち運び可能であることにより、消火活動の際、作業者１６の近くに位置する。ここに示す好ましい実施の形態において、作業者はまた容器１３を運搬し、この場合、作業者はランス１０を手で持ち運ぶとともに容器を背中で持ち運ぶことが好ましい。あるいは、容器１３はランス１０に固定的または取外し可能に直接設けられていても良く、この場合、作業者１６はランスおよび容器によって構成されるユニットを手で適切に持ち運ぶ。
【００１９】
容器１３の位置が作業者の背中、ランス上、または作業者１６近傍の他の場所であるか否かに関わらず、作業者は、容器および／またはランス近くにある作動手段（図示せず）により、穴の形成および／または消火と同時にまたは関連して、自分自身で消火液５に対する添加剤８の供給量の調整を行なうことができる。
【００２０】
本発明は無論、図示および記載した実施の形態および上述した変形例に限定されると考えるべきではなく、添付した請求の範囲内において、任意的に修正および補完が可能である。
【図面の簡単な説明】
【００２１】
【図１】本発明の最良の実施の形態を概略的かつ斜視的に示す図。
【図１】
2009507603.tif 000003
【国際調査報告】
2009507603.tif 000004
2009507603.tif 000005
2009507603.tif 000006
2009507603.tif 000007